(57)【要約】【課題】湯切れが起き難く、利便性に優れ、高効率のヒートポンプ給湯機を提供する。【解決手段】給湯熱交換器２で加熱された温水を貯湯する貯湯槽５の上部、中間部、下部にそれぞれ接続された出湯管１８、中間出湯管２１、給水管１７と、貯湯槽５の上部と前記上部よりも下部との間に接続され貯湯槽５上部の湯を熱源として浴槽８の湯水を加熱する風呂熱交換器６と、出湯管１８と中間出湯管２１および給水管１７からの湯水を混合して設定された給湯温度になるように調整する給湯、中間混合弁１９、２２とを備え、給湯要求と風呂加熱要求とが同時にあった場合、風呂熱交換器６で放熱した貯湯槽５上部からの湯の一部または全部を直接給湯に利用するもので、湯の有効利用ができるので湯切れの可能性が少なく、快適性と利便性の向上を図り、かつ、風呂熱交換器６から戻る中温水と貯湯槽５の湯との混合による中温水の生成が少なくなるので運転効率が向上する。【選択図】図１
2008249169.tif 000002
【特許請求の範囲】
【請求項１】
圧縮機、給湯熱交換器を備えた給湯加熱手段と、前記給湯熱交換器で加熱された温水を貯湯する貯湯槽と、前記貯湯槽の上部に接続された出湯管と、前記貯湯槽の中間部に接続された中間出湯管と、前記貯湯槽の下部に接続された給水管と、風呂熱交換器を途中に設けて前記貯湯槽の上部と前記上部よりも下部とをそれぞれ接続するための風呂熱交換器往き管と風呂熱交換器戻り管とを具備し前記貯湯槽上部の湯を熱源として前記風呂熱交換器を介して浴槽の湯水を加熱する風呂加熱手段と、前記風呂加熱手段を循環する熱源流量を制御する流量制御手段と、給湯温度を設定する給湯温度設定手段と、前記出湯管と前記中間出湯管および前記給水管からの湯水を混合して前記給湯温度設定手段で設定された給湯温度になるように調整する複数の混合弁とを備え、給湯要求と風呂加熱要求とが同時にあった場合、前記風呂熱交換器で放熱した前記貯湯槽上部からの湯の一部または全部を直接給湯に利用するようにしたことを特徴とするヒートポンプ給湯機。
【請求項２】
一端が風呂熱交換器に接続された風呂熱交換器戻り管の他端を、中間出湯管の途中に接続したことを特徴とする請求項１に記載のヒートポンプ給湯機。
【請求項３】
風呂熱交換器に接続された風呂熱交換器戻り管と貯湯槽との接続部と、中間出湯管と前記貯湯槽との接続部とを異なる位置とし、前記中間出湯管と前記風呂熱交換器戻り管とを接続するバイパス管と、前記風呂熱交換器で熱交換した前記貯湯槽の上部の湯の経路を中間出湯管側か前記風呂熱交換器戻り管と前記貯湯槽との接続部側かを選択して切り換える切り換え手段とを備えたことを特徴とする請求項１に記載のヒートポンプ給湯機。
【請求項４】
給湯要求と風呂加熱要求とが同時にあった場合、風呂熱交換器で熱交換した貯湯槽上部の湯を中間出湯管側に流れるように切り換え手段を制御することを特徴とする請求項３に記載のヒートポンプ給湯機。
【請求項５】
中間出湯管からの湯水と出湯管からの湯とを混合する中間混合弁と、前記中間混合弁からの湯と給水管からの水とを混合する給湯混合弁とを備えたことを特徴とする請求項１〜４のいずれか１項に記載のヒートポンプ給湯機。
【請求項６】
流量制御手段として、風呂熱交換器の熱源側に設けられ貯湯槽の湯を循環させる熱源側循環ポンプと、同じく前記風呂熱交換器の熱源側に設けられた流量制御弁とを用いた請求項１〜５のいずれかに記載のヒートポンプ給湯機。
【請求項７】
給湯要求と風呂加熱要求が同時にあった場合、風呂熱交換器で熱交換した貯湯槽の上部の湯が中間出湯管を通って前記貯湯槽に戻らないようにする流入防止手段を備えた請求項１〜６のいずれかに１項に記載のヒートポンプ給湯機。
【請求項８】
中間混合弁の目標混合温度を、給湯温度設定手段で設定された給湯設定温度と風呂熱交換器の熱源側出口の温度に基づいて決定する請求項５〜７のいずれか１項に記載のヒートポンプ給湯機。
【請求項９】
中間混合弁の目標混合温度を、給湯温度設定手段で設定された給湯設定温度と風呂熱交換器の熱源側出口の温度との内でいずれか高い方の温度よりも所定の温度だけ高い温度に設定することとした請求項５〜７のいずれか１項に記載のヒートポンプ給湯機。
【請求項１０】
ヒートポンプの冷媒回路は、圧力が臨界圧力以上となる超臨界冷媒回路であり、前記臨界圧力以上に昇圧された冷媒により水を加熱する請求項１〜９のいずれか１項に記載のヒートポンプ給湯機。
【発明の詳細な説明】
【技術分野】
【０００１】
本発明は、風呂の追い焚き機能や暖房機能を備える貯湯式のヒートポンプ給湯機に関するものである。
【背景技術】
【０００２】
従来、この種のヒートポンプ給湯機として、貯湯槽の温水を利用した浴槽の追い焚き機能を持ったものがある（例えば、特許文献１参照）。
【０００３】
図７は、上記特許文献１に記載された従来のヒートポンプ給湯機の構成図である。
【０００４】
図７において、従来のヒートポンプ給湯機は、圧縮機１、冷媒対水熱交換器である給湯熱交換器２及び蒸発器３などを備えたヒートポンプユニット４と、貯湯槽５及び水対水熱交換器である風呂熱交換器６などを備えた給湯ユニット７とから構成されている。前記貯湯槽５は、給湯熱交換器２を用いて前記ヒートポンプユニット４により加熱された湯を貯湯するものである。
【０００５】
また、風呂熱交換器６は、貯湯槽５内の湯を循環させて、浴槽８内の湯を加熱するものである。すなわち、貯湯槽５の上部から熱源側循環ポンプ９によって汲み出された湯は、風呂熱交換器６に導かれて、利用側循環ポンプ１０によって汲み出された浴槽８内の湯または水を加熱した後に、貯湯槽５に戻る。また、貯湯槽５の湯は、浴槽注湯配管１１を通して浴槽８へ注湯され、さらに、蛇口１２を開くことにより給湯ができるように構成されている。
【特許文献１】特開２００２−２４３２７５号公報
【発明の開示】
【発明が解決しようとする課題】
【０００６】
しかしながら、前記従来のヒートポンプ給湯機の構成では、次のような課題を有していた。
【０００７】
風呂の追い焚き運転をするときには、多くの場合、浴槽８の温度は、約４０℃前後なので、貯湯槽５の上部から熱源側循環ポンプ９によって汲み出され、風呂熱交換器６に導かれて利用側循環ポンプ１０によって汲み出された浴槽８内の湯を加熱した後に貯湯槽５に戻る時の温度は５０℃前後である。そして、この貯湯槽５に戻ってきた湯は、貯湯槽５内の湯と混合するが、貯湯槽５の戻り位置の湯温によって混合された湯の温度は異なる。
【０００８】
また、一般的に、蓄熱式のヒートポンプ給湯機の場合、電気料金の安い時間帯である深夜時間帯（たとえば２３時から翌朝の７時）に貯湯槽５全体を、設定された温度に沸き上げる。
【０００９】
この時、貯湯槽５の下部から送られてきた低温の水は、給湯熱交換器２で加熱されて高温の水となって、貯湯槽５の上から貯湯される。この貯湯される高温の水と元々あった低温水との境ははっきりした温度層として分かれているのではなく、高温から低温に変化する混合層が存在する。このため、貯湯槽５全体を設定された温度に沸き上げる沸き上げ運転が、沸き上げ完了に近づけば、この混合層を加熱することになる。この場合、ヒートポンプの特性は、給湯熱交換器２の入口水温によって大きく異なる。
【００１０】
つまり、入口水温が高くなるほど圧縮機１の吐出圧力が高くなるため、それに伴って、
運転効率が悪くなり、消費される電力量が多くなる。さらに、入口水温が高温になってくると、急激に吐出圧力が上昇するので、圧縮機１の信頼性確保のため、入口水温が所定の温度になれば、前記沸き上げ運転を終了する。例えば、冬季では、給湯負荷が大きいため、８０℃〜９０℃に貯湯槽５を沸き上げるが、給湯熱交換器２の入口温度が６０℃になれば全量が沸き上がったとして運転を停止する。そして、この深夜に貯湯された湯で、概ね、昼間の給湯負荷を賄うわけである。
【００１１】
今、浴槽８内の湯を加熱した後に貯湯槽５に戻ってきた湯と、貯湯槽５の湯とが混合してできた湯の温度が、前記所定の温度（例えば６０℃）以上であれば、その湯は、再度高温に沸き上げられることはない。だから、本来、深夜時間帯に貯湯槽５のほぼ全体を設定された温度（冬であれば８０℃〜９０℃程度）に沸き上げるところを、浴槽８の加熱によって生じた混合層の部分は設定された温度に沸き上げられることなく、そのままで沸き上げ完了となってしまうことがあった。このように貯湯槽５のほぼ全体が高温に沸き上がっていないときには、昼間の給湯負荷に対応できず、湯切れして快適性と利便性に課題があった。
【００１２】
他方、浴槽８内の湯を加熱した後に貯湯槽５に戻ってきた湯と、貯湯槽５の湯と混合してできた湯の温度が、前記所定の温度（例えば６０℃）以下であれば、その湯は再度高温に沸き上げられる。ところが、浴槽８から送られてきた水を加熱して貯湯槽５に戻る水温が元々高いので、貯湯槽５の湯水と混合して貯湯槽５の温度を上昇させてしまい、６０℃以下ではあるが、比較的高い温度になる場合がある。この場合、前述したように、沸き上げ運転の効率が非常に悪くなるという課題があった。
【００１３】
本発明は、上記課題を解決するもので、給湯要求と風呂加熱要求とが同時にあった場合に風呂熱交換器で放熱した貯湯槽上部からの湯の一部または全部を、貯湯槽に戻さず直接給湯に利用することによって、湯切れの可能性を少なくして快適性と利便性の向上を図り、かつ、運転効率向上を図ったヒートポンプ給湯機を提供することを目的とする。
【課題を解決するための手段】
【００１４】
前記従来の課題を解決するために、本発明のヒートポンプ給湯機は、圧縮機、給湯熱交換器を備えた給湯加熱手段と、前記給湯熱交換器で加熱された温水を貯湯する貯湯槽と、前記貯湯槽の上部に接続された出湯管と、前記貯湯槽の中間部に接続された中間出湯管と、前記貯湯槽の下部に接続された給水管と、風呂熱交換器を途中に設けて前記貯湯槽の上部と前記上部よりも下部とをそれぞれ接続するための風呂熱交換器往き管と風呂熱交換器戻り管とを具備し前記貯湯槽上部の湯を熱源として前記風呂熱交換器を介して浴槽の湯水を加熱する風呂加熱手段と、前記風呂加熱手段を循環する熱源流量を制御する流量制御手段と、給湯温度を設定する給湯温度設定手段と、前記出湯管と前記中間出湯管および前記給水管からの湯水を混合して前記給湯温度設定手段で設定された給湯温度になるように調整する複数の混合弁とを備え、給湯要求と風呂加熱要求とが同時にあった場合、前記風呂熱交換器で放熱した前記貯湯槽上部からの湯の一部または全部を直接給湯に利用するようにしたもので、湯の有効利用ができるので湯切れの可能性を少なくして快適性と利便性の向上を図り、かつ、風呂熱交換器から戻る中温水と貯湯槽の湯との混合による中温水の生成が少なくなるので運転効率の向上を図ることができる。
【発明の効果】
【００１５】
本発明のヒートポンプ給湯機は、給湯要求と風呂加熱要求とが同時にあった場合、風呂熱交換器で放熱した貯湯槽上部からの湯の一部または全部を貯湯槽に戻さず直接給湯に利用できるので、湯切れの可能性を少なくして快適性と利便性の向上を図り、かつ、風呂熱交換器から戻る中温水と貯湯槽の湯との混合割合が少なくなるので、運転効率の向上を図ることができる。
【発明を実施するための最良の形態】
【００１６】
第１の発明は、圧縮機、給湯熱交換器を備えた給湯加熱手段と、前記給湯熱交換器で加熱された温水を貯湯する貯湯槽と、前記貯湯槽の上部に接続された出湯管と、前記貯湯槽の中間部に接続された中間出湯管と、前記貯湯槽の下部に接続された給水管と、風呂熱交換器を途中に設けて前記貯湯槽の上部と前記上部よりも下部とをそれぞれ接続するための風呂熱交換器往き管と風呂熱交換器戻り管とを具備し前記貯湯槽上部の湯を熱源として前記風呂熱交換器を介して浴槽の湯水を加熱する風呂加熱手段と、前記風呂加熱手段を循環する熱源流量を制御する流量制御手段と、給湯温度を設定する給湯温度設定手段と、前記出湯管と前記中間出湯管および前記給水管からの湯水を混合して前記給湯温度設定手段で設定された給湯温度になるように調整する複数の混合弁とを備え、給湯要求と風呂加熱要求とが同時にあった場合、前記風呂熱交換器で放熱した前記貯湯槽上部からの湯の一部または全部を直接給湯に利用するようにしたもので、湯の有効利用ができるので湯切れの可能性を少なくして快適性と利便性の向上を図り、かつ、風呂熱交換器から戻る中温水と貯湯槽の湯との混合による中温水の生成が少なくなるので運転効率の向上を図ることができる。
【００１７】
第２の発明は、特に、第１の発明の一端が風呂熱交換器に接続された風呂熱交換器戻り管の他端を、中間出湯管の途中に接続したもので、給湯要求と風呂加熱要求とが同時にあった場合、風呂熱交換器で放熱した前記貯湯槽上部からの湯の一部または全部を直接給湯に利用するために、簡単な構成とすることができ、機器の軽量化、小型化、信頼性の向上を図ることができる。
【００１８】
第３の発明は、特に、第１の発明の風呂熱交換器に接続された風呂熱交換器戻り管と貯湯槽との接続部と、中間出湯管と前記貯湯槽との接続部とを異なる位置とし、前記中間出湯管と前記風呂熱交換器戻り管とを接続するバイパス管と、前記風呂熱交換器で熱交換した前記貯湯槽の上部の湯の経路を中間出湯管側か前記風呂熱交換器戻り管と前記貯湯槽との接続部側かを選択して切り換える切り換え手段とを備えたもので、風呂加熱時の貯湯槽への戻り位置と中間出湯時の貯湯槽からの取り出し位置とが独立して互いに影響されないので、それぞれ効率の良い中間出湯と風呂加熱ができ、かつ、給湯要求と風呂加熱要求が同時にあった場合、風呂熱交換器で放熱した貯湯槽上部からの湯を貯湯槽に戻さず給湯端末に流して利用するので、快適性と利便性の向上と、かつ、運転効率の向上を図ることができる。
【００１９】
第４の発明は、特に、第３の発明の給湯要求と風呂加熱要求とが同時にあった場合、風呂熱交換器で熱交換した貯湯槽上部の湯を中間出湯管側に流れるように切り換え手段を制御するもので、給湯要求と風呂加熱要求が同時にあった場合、風呂熱交換器で放熱した貯湯槽上部からの湯を貯湯槽に戻さず給湯端末に流して利用するので、湯切れの可能性を少なくして快適性と利便性の大幅な向上と、かつ、風呂熱交換器から戻る中温水と貯湯槽の湯とが混合して中温水の生成が少なくなるので運転効率の大幅な向上を図ることができる。
【００２０】
第５の発明は、特に、第１〜４のいずれか一つの発明の中間出湯管からの湯水と出湯管からの湯とを混合する中間混合弁と、前記中間混合弁からの湯と給水管からの水とを混合する給湯混合弁とを備えたもので、給湯要求と風呂加熱要求とが同時にあった場合、風呂熱交換器で放熱した貯湯槽上部からの湯の一部または全部を貯湯槽に戻さず、給湯端末に通じる流路構成にできるので、簡単な構成で湯を有効利用することができる。
【００２１】
第６の発明は、特に、第１〜５のいずれか一つの発明の流量制御手段として、風呂熱交換器の熱源側に設けられ貯湯槽の湯を循環させる熱源側循環ポンプと、同じく前記風呂熱
交換器の熱源側に設けられた流量制御弁とを用いたもので、給湯要求と風呂加熱要求とが同時にあった場合でも、風呂熱交換器で放熱した貯湯槽上部からの湯の一部または全部を貯湯槽に戻さず、給湯端末に流して湯を有効利用しながら、安定した信頼性の高い風呂加熱ができる。
【００２２】
第７の発明は、特に、第１〜６のいずれか一つの発明の給湯要求と風呂加熱要求が同時にあった場合、風呂熱交換器で熱交換した貯湯槽の上部の湯が中間出湯管を通って前記貯湯槽に戻らないようにする流入防止手段を備えたもので、給湯要求と風呂加熱要求が同時にあった場合、風呂熱交換器で放熱した貯湯槽上部からの湯のすべてを貯湯槽に戻さず給湯端末に流して利用するので、湯切れの可能性を少なくして快適性と利便性の大幅な向上と、かつ、風呂熱交換器から戻る中温水と貯湯槽の湯との混合による中温水の生成が少なくなるので運転効率の大幅な向上を図ることができる。
【００２３】
第８の発明は、特に、第５〜７のいずれか一つの発明の中間混合弁の目標混合温度を、給湯温度設定手段で設定された給湯設定温度と風呂熱交換器の熱源側出口の温度に基づいて決定するもので、安定した給湯温度が得られるので、快適性と利便性の向上と運転効率の向上を図ることができる。
【００２４】
第９の発明は、特に、第５〜７のいずれか一つの発明の中間混合弁の目標混合温度を、給湯温度設定手段で設定された給湯設定温度と風呂熱交換器の熱源側出口の温度との内でいずれか高い方の温度よりも所定の温度だけ高い温度に設定するもので、安定した給湯温度が得られるので、快適性と利便性の向上と運転効率の向上を図ることができる。
【００２５】
第１０の発明は、特に、第１〜９のいずれか一つの発明のヒートポンプの冷媒回路は、圧力が臨界圧力以上となる超臨界冷媒回路であり、前記臨界圧力以上に昇圧された冷媒により水を加熱するもので、例えば、冷媒として二酸化炭素を用いれば、高温高効率化と地球環境保全を図ることができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態におけるヒートポンプ給湯機の構成図である。尚、上記従来のヒートポンプ給湯機と同一部分については、同一符号を付してその説明を省略する。
【００２８】
図１において、本実施の形態におけるヒートポンプ給湯機の熱源である給湯加熱手段１３は、圧縮機１、給湯熱交換器２、減圧装置１４および大気熱を吸熱する蒸発器３からなるヒートポンプサイクルを構成したヒートポンプ熱源である。そして、貯湯槽５の下部から循環ポンプ１５、給湯熱交換器２および貯湯槽５の上部を順次接続する沸き上げ回路を構成することによって、貯湯槽５から循環ポンプ１５で送られてきた水は、前記給湯熱交換器２で冷媒熱により加熱されて貯湯槽５の上から貯湯される。
【００２９】
１６は、沸き上げ温度検出手段であり、ヒートポンプ熱源で加熱した湯温を検出するため、給湯熱交換器２の水側の出口に設けられている。そして、高圧側の冷媒圧力が臨界圧力以上となる二酸化炭素を冷媒としている。
【００３０】
貯湯槽５への給水は、貯湯槽５の下部に接続された給水管１７を通ってなされ、貯湯槽５上部の高温の湯は、出湯管１８を通り給湯混合弁１９で給水と混合されることによって所定の温度の湯にしてから、給湯管２０を通って給湯端末の一つである蛇口１２から給湯
される。また、貯湯槽５の中間部に接続された中間出湯管２１は、出湯管１８の途中に設けられた中間混合弁２２に接続されている。
【００３１】
風呂加熱手段２３は、水水熱交換器である風呂熱交換器６と、それに接続された熱源側水回路２３ａ、利用側水回路２３ｂと、それら熱源側、利用側水回路２３ａ、２３ｂにそれぞれ設けられた熱源側循環ポンプ９と利用側循環ポンプ１０などからなる。また風呂熱交換器６の熱源側は、貯湯槽５の上部と風呂熱交換器往き管２４で接続され、また貯湯槽５の前記上部よりも下部と接続するために風呂熱交換器戻り管２５を備え、前記中間出湯管２１の途中に接続されている。
【００３２】
そして、浴槽８の加熱は、熱源側循環ポンプ９で貯湯槽５から風呂熱交換器６に送られてきた高温の温水と、利用側循環ポンプ１０で浴槽８から風呂熱交換器６に送られてきた水又は温水とが熱交換することによって行われる。
【００３３】
また、風呂熱交換器６の熱源側出口には熱源側出口温度を検出する熱源側出口温度検出手段２７を、利用側の入口と出口にはそれぞれの水温を検出するために利用側入口温度検出手段２８と利用側出口温度検出手段２９が設けられている。ここで、熱源側循環ポンプ９が流量制御手段３０である。
【００３４】
そして、制御手段２６と熱源側循環ポンプ９と利用側入口温度検出手段２８及び熱源側出口温度検出手段２７とで、風呂加熱手段２３における熱源側流量を制御することによって風呂熱交換器６での加熱能力を制御する。
【００３５】
さらに、給湯混合弁１９の出口側には、給湯混合弁１９で混合された湯温を検出する給湯温度検出手段３１を設け、中間混合弁２２の出口側には、中間混合弁２２で混合された湯温を検出する中間温度検出手段３２を設けている。また、リモコン（図示せず）などで希望する給湯温度を設定する給湯温度設定手段３３と、給湯混合弁１９と中間混合弁２２の動作を制御する混合弁制御手段３４とを備えている。
【００３６】
また、貯湯槽５の上部の湯と給水管１７の水から所定の温度に混合する注湯混合弁３５と、注湯開閉弁３６とから風呂注湯回路が構成されており、注湯温度検出手段３７は前記注湯混合弁３５の混合温度を検出する。
【００３７】
以上のように構成された本実施の形態におけるヒートポンプ給湯機について、以下にその動作、作用を説明する。
【００３８】
図１において、先ず、給湯加熱モードについて説明する。いま、貯湯槽５を沸き上げる要求（図示せず）があると、ヒートポンプ熱源で大気熱を利用した給湯加熱運転を行う。この場合、圧縮機１から吐出された臨界圧力以上の高温高圧の冷媒が給湯熱交換器２に流入し、ここで貯湯槽５の下部から送られてきた水と熱交換し放熱した後、減圧装置１４で減圧し、さらに、蒸発器３で大気から熱を吸熱し、ガス化して圧縮機１に戻る。この時、給湯熱交換器２に流入する高温冷媒で給湯熱交換器２の出口水温が所定温度となるように循環ポンプ１５の回転数を制御し、所定の温度の湯が貯湯槽５の上部から流入し貯湯される。
【００３９】
次に、単独給湯モードについて説明する。給湯端末である蛇口１２が開かれると混合弁制御手段３４は、中間混合弁２２を貯湯槽５側に全開（通常はこの位置が初期設定位置）にする。そして、給湯混合弁１９の出口（混合）温度が給湯温度設定手段３３で設定された給湯設定温度になるように、給湯温度検出手段３１から得られた温度をもとに給湯混合弁１９の開度を制御することによって、所定の給湯温度の湯を蛇口１２から給湯する。
【００４０】
さらに、中間給湯モードについて説明する。給湯端末である蛇口１２が開かれると混合弁制御手段３４は、中間混合弁２２の出口（混合）温度が給湯温度設定手段３３で設定された給湯設定温度よりも所定の温度だけ高い温度になるように、貯湯槽５の上部からの湯と中間出湯管２１からの湯の混合割合を調整するために 、中間温度検出手段３２から得られた温度をもとに、中間混合弁２２の開度を制御する。さらに、給湯混合弁１９の出口（混合）温度が給湯温度設定手段３３で設定された給湯設定温度になるように、中間混合弁２２からの湯と給水管１７からの水の混合割合を調節するために、給湯温度検出手段３１から得られた温度をもとに給湯混合弁１９の開度を制御することによって、所定の給湯温度の湯を蛇口１２から給湯する。
【００４１】
次に、風呂注湯モードについて説明する。リモコンなどで浴槽８への注湯要求（図示せず）があると注湯開閉弁３６が開かれる。そして、注湯混合弁３５の出口（混合）温度がリモコン（図示せず）などで設定した所定の注湯温度になるように注湯温度検出手段３７から得られた温度をもとに注湯混合弁３５の開度を調節する。
【００４２】
さらに、通常の単独風呂加熱モードについて説明する。いま、風呂の加熱要求（図示せず）があると、利用側循環ポンプ１０を駆動する。そして、制御手段２６は、熱源側循環ポンプ９を駆動する。利用側循環ポンプ１０によって浴槽８から送られてきた水は、熱源側循環ポンプ９によって送られてきた貯湯槽５上部の高温の湯と、風呂熱交換器６で熱交換して加熱されて浴槽８に戻る。
【００４３】
また、熱源側循環ポンプ９によって貯湯槽５から送られてきた高温の湯は、前述した利用側循環ポンプ１０によって送られてきた浴槽８の湯と、風呂熱交換器６で熱交換して貯湯槽５に戻る。このとき、制御手段２６は、必要な能力で効率よく風呂加熱するために、熱源側循環ポンプ９の流量を制御する。
【００４４】
例えば、風呂熱交換器６の熱源側出口温度と風呂熱交換器６の利用側入口温度との温度差に応じて熱源側の温水の流量を制御する。つまり、制御手段２６は、熱源側出口温度検出手段２７と利用側入口温度検出手段２８とから得られた風呂熱交換器６の熱源側出口温度と利用側入口温度を検出し、この両者の温度差が所定の温度（例えば５Ｋ）になるように熱源側循環ポンプ９の回転数を制御する。このように制御すれば、浴槽８の温度が変化しても貯湯槽５への戻り温度も比較的低くすることができ、かつ、風呂加熱能力も比較的大きくすることができる。
【００４５】
次に、給湯要求と風呂加熱要求とが同時にあった場合の同時給湯風呂加熱モードについて説明する。
【００４６】
まず、給湯要求として給湯端末である蛇口１２が開かれると、混合弁制御手段３４は、中間混合弁２２の出口（混合）温度が給湯温度設定手段３３で設定された給湯設定温度よりも所定の温度だけ高い温度になるように、貯湯槽５の上部からの湯と中間出湯管２１からの湯の混合割合を調整するために 、中間温度検出手段３２から得られた温度をもとに中間混合弁２２の開度を制御する。さらに、給湯混合弁１９の出口（混合）温度が給湯温度設定手段３３で設定された給湯設定温度になるように、中間混合弁２２からの湯と給水管１７からの水の混合割合を調節するために、給湯温度検出手段３１から得られた温度をもとに、給湯混合弁１９の開度を制御することによって、所定の給湯温度の湯を蛇口１２から給湯する。
【００４７】
さらに、風呂加熱要求も同時にあるので、単独風呂加熱モードと同様、利用側循環ポンプ１０を駆動する。そして、制御手段２６は、風呂熱交換器６の熱源側出口温度と風呂熱
交換器６の利用側入口温度との温度差に応じて熱源側循環ポンプ９の回転数を調節することによって、熱源側の温水の流量を制御する。このとき、利用側循環ポンプ１０によって浴槽８から送られてきた水は、熱源側循環ポンプ９によって送られてきた貯湯槽５上部の高温の湯と、風呂熱交換器６で熱交換して加熱されて浴槽８に戻る。
【００４８】
そして、熱源側循環ポンプ９によって貯湯槽５から送られてきた高温の湯は、前述した利用側循環ポンプ１０によって送られてきた浴槽８の湯と、風呂熱交換器６で熱交換して中間出湯管２１との接続個所に至る。そして、この接続箇所に至った湯の全部または一部は、前述したように、中間混合弁２２に送られて貯湯槽５上部からの湯と混合し、さらに、給湯混合弁１９で給水管１７からの水と混合して、所定の給湯温度の湯となって蛇口１２から給湯される。一方、中間出湯管２１との接続個所に至って中間混合弁２２側に流れなかった残りの湯は貯湯槽５に戻る。
【００４９】
図７に示す従来のヒートポンプ給湯機であれば、風呂加熱に使用された貯湯槽５の湯はすべて貯湯槽５に戻り、貯湯槽５の湯と混合し、最終的には再度高温に沸き上げていた。しかし、本実施の形態では、風呂加熱に使用された貯湯槽５の湯の一部または全部を直接給湯に使用するため、湯に与えられた熱量をすべて使い切ることになり、効率が大幅に向上する。また、貯湯槽５に戻る湯が少なくなるので、貯湯槽５の湯または水と混合して高温の湯の温度を低下させたり、低温の湯または水の温度を上昇させることも少なくなるので、湯切れや沸き上げの効率低下などが発生し難くなる。
【００５０】
上記実施の形態では、混合弁制御手段３４は、給湯温度設定手段３３で設定された給湯設定温度よりも高い温度に設定された目標混合温度になるように中間温度検出手段３２から得られた温度をもとに中間混合弁２２の開度を制御するとしたが、給湯温度設定手段３３で設定された給湯設定温度と風呂熱交換器６の熱源側出口の温度とから決定する方が、更に、風呂加熱に使用された貯湯槽５の湯を有効に使用することができる。
【００５１】
つまり、目標混合温度が、風呂熱交換器６の熱源側出口温度よりも低いと、中間混合弁２２の開度は低温側入口の方向に全開となる。この時、給湯流量が多い場合には、風呂熱交換器６の熱源側の流量制御ができない状態が生じる可能性があるので、中間混合弁２２の目標混合温度は、風呂熱交換器６の熱源側出口温度より高く設定する必要がある。さらに、中間混合弁２２で混合された湯は、給湯混合弁１９の高温側入口に入るので、中間混合弁２２の目標混合温度は、給湯温度設定手段３３で設定された給湯設定温度よりも高くする必要がある。結局、中間混合弁２２の目標混合温度は、給湯温度設定手段３３で設定された給湯設定温度と風呂熱交換器６の熱源側出口温度との内で高い方の温度よりも所定の温度だけ高い温度に設定すればよい。
【００５２】
また、同時給湯風呂加熱モードで風呂加熱を行っていると浴槽温度が上昇してきて、浴槽に戻ってくる湯温が高くなってきて、入浴中の人が不快になることがある。これは風呂熱交換器６の熱源側流量が大きく能力が出すぎている場合である。この場合には、風呂熱交換器６の熱源側流量を下げる必要がある。だから、利用側出口温度検出手段２９が所定の温度（例えば６０℃）以上になった場合、混合弁制御手段３４は、中間混合弁２２の目標混合温度を上げるように制御する。このようにすれば、中間混合弁２２の開度は高温側入口の方向に開き、逆に低温側入口は閉じる方向になるので、風呂熱交換器６の熱源側流量が減少して、浴槽に戻ってくる湯温が低くなり、高温の湯が浴槽に戻ることを防止できるので、快適性の向上を図ることができる。
【００５３】
また、ヒートポンプに用いられる冷媒は、二酸化炭素であるため、貯湯槽５に高温度（およそ９０℃）の湯を貯湯することができるので、湯切れを防止することができ、かつ、高効率化と地球環境保全を図ることができる。
【００５４】
なお、上記説明では、貯湯槽５の高温湯で風呂加熱する構成としていたが、風呂加熱に限らず、貯湯槽５の熱を利用した暖房や浴室暖房乾燥機などの用途にも適用できる。
【００５５】
（実施の形態２）
図２は、本発明の第２の実施の形態におけるヒートポンプ給湯機の構成図である。本実施の形態におけるヒートポンプ給湯機は、風呂熱交換器戻り管２５の途中に流量制御弁３８を設けたもので、他の構成は、上記第１の実施の形態におけるヒートポンプ給湯機と同一なので、同一部分については、同一符号を付してその説明を省略する。
【００５６】
ここでは、熱源側循環ポンプ９と流量制御弁３８とで流量制御手段３０を形成している。そして、制御手段２６と、熱源側循環ポンプ９と、利用側入口温度検出手段２８と、熱源側出口温度検出手段２７及び流量制御弁３８とで、風呂加熱手段２３における熱源側流量を制御することによって風呂熱交換器６での加熱能力を制御する。
【００５７】
以上のように構成されたヒートポンプ給湯機について、以下にその動作、作用を説明する。
【００５８】
なお、給湯加熱モード、単独給湯モード、中間給湯モード、風呂注湯モード、単独風呂加熱モードについては、上記第１の実施の形態と同じなので説明は省略し、給湯要求と風呂加熱要求とが同時にあった場合の同時給湯風呂加熱モードについて説明する。
【００５９】
この場合、給湯混合弁１９の制御は、単独給湯モードの場合と同じである。制御手段２６は、先ず、流量制御弁３８を初期開度（例えば、全開）に設定する。そして、熱源側循環ポンプ９の流量の制御を行う。つまり、風呂熱交換器６の熱源側出口温度と風呂熱交換器６の利用側入口温度との温度差に応じて熱源側の温水の流量を制御する。
【００６０】
さらに、混合弁制御手段３４は、給湯温度設定手段３３で設定された給湯設定温度よりも高い温度に設定された目標混合温度になるように、中間温度検出手段３２から得られた温度をもとに、中間混合弁２２の開度を制御する。しかし、給湯流量が多くなってくると熱源側循環ポンプ９だけでは、風呂熱交換器６の熱源側流量を制御できなくなる場合がある。すなわち、熱源側循環ポンプ９の回転数を最小回転数または停止しても、熱源側流量が大きくなりすぎて、風呂熱交換器６の熱源側出口温度と風呂熱交換器６の利用側入口温度との温度差を目標の温度差に制御できなくなる場合である。
【００６１】
このような場合には、流量制御弁３８の開度を絞り、熱源側の流量を小さくする。すなわち、制御手段２６が、風呂熱交換器６の熱源側出口温度と風呂熱交換器６の利用側入口温度との温度差を目標の温度差になるように熱源側循環ポンプ９の回転数を制御し、その結果、熱源側循環ポンプ９の回転数を最小回転数または停止しても、前記温度差が目標の温度差より大きい所定の温度差になれば、流量制御弁３８の開度を制御することによって、前記温度差を目標の温度差に制御する。
【００６２】
逆に、流量制御弁３８の開度が全開になっても、前記温度差が目標の温度差より小さい所定の温度差になれば、熱源側循環ポンプ９の回転数で前記温度差を目標の温度差になるように制御する。
【００６３】
なお、上記実施の形態では、流量制御弁３８を風呂熱交換器戻り管の２５の途中に設けたが、中間出湯管２１と風呂熱交換器戻り管２５の接続位置よりも上流側の中間出湯管２１に流量制御弁３８を設けても同様の効果が得られる。
【００６４】
このようにすれば、給湯流量が多い場合や変動した場合でも、風呂加熱に使用された貯湯槽５の湯の一部または全部を直接給湯に使用することによって効率向上を図りつつ、効率よい安定した信頼性の高い風呂加熱を実現することができる。
【００６５】
（実施の形態３）
図３は、本発明の第３の実施の形態におけるヒートポンプ給湯機の構成図である。本実施の形態におけるヒートポンプ給湯機は、風呂熱交換器戻り管２５と中間出湯管２１との接続位置よりも貯湯槽５側の中間出湯管２１の途中に前記貯湯槽５方向の流れを防止する流入防止手段３９を設けたもので、他の構成は、上記第１の実施の形態におけるヒートポンプ給湯機と同一なので、同一部分については、同一符号を付してその説明を省略する。
【００６６】
以上のように構成された本実施の形態におけるヒートポンプ給湯機について、以下にその動作、作用を説明する。
【００６７】
なお、給湯加熱モード、単独給湯モード、風呂注湯モード、単独風呂加熱モードについては、上記第１の実施の形態と同じなので説明は省略し、中間給湯モードと給湯要求と風呂加熱要求とが同時にあった場合の同時給湯風呂加熱モードについて説明する。
【００６８】
まず、中間給湯モードについて説明する。 この場合、流入防止手段３９で流路を開ける。後の動作、作用は、第１の実施の形態と同様なので、説明は省略する。
【００６９】
次に、同時給湯風呂加熱モードについて説明する。この場合、流入防止手段３９で流路を閉じる。そして、第１の実施の形態と同様に、給湯要求として給湯端末である蛇口１２が開かれると、混合弁制御手段３４は、中間混合弁２２の出口（混合）温度が、給湯温度設定手段３３で設定された給湯設定温度よりも所定の温度だけ高い温度になるように、貯湯槽５の上部からの湯と中間出湯管２１からの湯の混合割合を調整するために 、中間温度検出手段３２から得られた温度をもとに、中間混合弁２２の開度を制御する。
【００７０】
さらに、給湯混合弁１９の出口（混合）温度が、給湯温度設定手段３３で設定された給湯設定温度になるように、中間混合弁２２からの湯と給水管１７からの水の混合割合を調節するために、給湯温度検出手段３１から得られた温度をもとに給湯混合弁１９の開度を制御することによって、所定の給湯温度の湯を蛇口１２から給湯する。さらに、風呂加熱要求も同時にあるので、単独風呂加熱モードと同様、利用側循環ポンプ１０を駆動する。
【００７１】
そして、制御手段２６は、風呂熱交換器６の熱源側出口温度と風呂熱交換器６の利用側入口温度との温度差に応じて熱源側循環ポンプ９の回転数を調節することによって、熱源側の温水の流量を制御する。
【００７２】
このとき、利用側循環ポンプ１０によって浴槽８から送られてきた水は、熱源側循環ポンプ９によって送られてきた貯湯槽５上部の高温の湯と、風呂熱交換器６で熱交換して加熱されて浴槽８に戻る。そして、熱源側循環ポンプ９によって貯湯槽５から送られてきた高温の湯は、前述した利用側循環ポンプ１０によって送られてきた浴槽８の湯と、風呂熱交換器６で熱交換して中間出湯管２１との接続個所に至る。そして、流入防止手段３９で貯湯槽５側への流入が防止されているので、この接続箇所に至ったすべての湯が中間混合弁２２に送られて貯湯槽５上部からの湯と混合し、さらに、給湯混合弁１９で給水管１７からの水と混合して、所定の給湯温度の湯となって蛇口１２から給湯される。
【００７３】
以上のように、風呂加熱に使用された貯湯槽５の湯のすべてを直接給湯に使用するため、湯に与えられた熱量をすべて使い切ることになり、効率が大幅に向上する。また、貯湯槽５に戻る湯がなくなるので、貯湯槽５の湯または水と混合して湯の温度を低下させたり
、水の温度を上昇させることもないので、湯切れや沸き上げの効率が低下することが無い。
【００７４】
なお、上記第２の実施の形態で述べた流量制御弁３８を備え、熱源側循環ポンプ９と流量制御弁３８とで流量制御手段３０を形成して、制御手段２６と熱源側循環ポンプ９と利用側入口温度検出手段２８と熱源側出口温度検出手段２７及び流量制御弁３８とで、風呂加熱手段２３における熱源側流量を制御することにしても、同様の作用、効果が得られる。
【００７５】
さらに、図４に示すように、注湯混合弁３５の高温側入口を貯湯槽５の上部でなく、中間混合弁２２の混合（出口）側に接続しても良い。すなわち、浴槽８への差し湯などの要求と風呂の加熱要求とが同時にあった場合、混合弁制御手段３４は、中間混合弁２２の出口（混合）温度がリモコン（図示せず）などで設定した所定の注湯温度よりも所定の温度だけ高い温度になるように、貯湯槽５の上部からの湯と中間出湯管２１からの湯の混合割合を調整するために 、中間温度検出手段３２から得られた温度をもとに中間混合弁２２の開度を制御する。さらに、注湯混合弁３５の出口（混合）温度が前記所定の注湯温度になるように、中間混合弁２２からの湯と給水管１７からの水の混合割合を調節するために、注湯温度検出手段３７から得られた温度をもとに注湯混合弁３５の開度を制御することによって、所定の注湯温度の湯を浴槽８に注湯する。なお、風呂加熱手段２３の動作と作用は、図３の場合と同様なので説明は省略する。
【００７６】
このようにすれば、風呂熱交換器６で放熱した貯湯槽５上部からの湯の一部または全部を直接風呂の差し湯などに利用できるため、湯切れの可能性が少なくなり、快適性と利便性の向上と、風呂熱交換器６から戻る中温水と貯湯槽５の湯との混合による中温水の生成が少なくなるので運転効率の向上とを図ることができる。
【００７７】
（実施の形態４）
図５は、本発明の第４の実施の形態におけるヒートポンプ給湯機の構成図である。
【００７８】
本実施の形態におけるヒートポンプ給湯機と、図１に示す第１の実施の形態におけるヒートポンプ給湯機と異なるところは、図５に示すように、風呂熱交換器６に接続された風呂熱交換器戻り管２５を貯湯槽５に接続し、また、この接続位置を中間出湯管２１と貯湯槽５との接続位置と異なる位置としたことである。さらに、中間出湯管２１の途中と風呂熱交換器戻り管２５の途中とを接続するバイパス管４０と、風呂熱交換器６で熱交換した貯湯槽５上部の湯の経路を中間出湯管２１側か風呂熱交換器戻り管２５と貯湯槽５との接続部側かを選択して切り換える切り換え手段４１とを備えたもので、他の構成は、上記第１の実施の形態におけるヒートポンプ給湯機と同一なので、同一部分については、同一符号を付してその説明を省略する。
【００７９】
以上のように構成されたヒートポンプ給湯機について、以下にその動作、作用を説明する。なお、給湯加熱モード、単独給湯モード、風呂注湯モードについては、図１の第１の実施の形態と同じなので説明は省略し、単独風呂加熱モードと給湯要求と風呂加熱要求とが同時にあった場合の同時給湯風呂加熱モードとについて説明する。
【００８０】
まず、単独風呂加熱モードについて説明する。いま、風呂の加熱要求（図示せず）があると、利用側循環ポンプ１０を駆動し、切り換え手段４１を貯湯槽５側に通じるように切り換える。そして、制御手段２６は、熱源側循環ポンプ９を駆動する。
【００８１】
利用側循環ポンプ１０によって浴槽８から送られてきた水は、熱源側循環ポンプ９によって送られてきた貯湯槽５上部の高温の湯と、風呂熱交換器６で熱交換して加熱されて浴
槽８に戻る。また、熱源側循環ポンプ９によって貯湯槽５から送られてきた高温の湯は、前述した利用側循環ポンプ１０によって送られてきた浴槽８の湯と、風呂熱交換器６で熱交換した後、切り換え手段４１を通って貯湯槽５に戻る。このとき、前述したように、制御手段２６は、必要な能力で効率よく風呂加熱するために、熱源側循環ポンプ９の流量を制御する。
【００８２】
次に、給湯要求と風呂加熱要求とが同時にあった場合の同時給湯風呂加熱モードについて説明する。まず、給湯要求として給湯端末である蛇口１２が開かれると混合弁制御手段３４は、中間混合弁２２の出口（混合）温度が給湯温度設定手段３３で設定された給湯設定温度よりも所定の温度だけ高い温度になるように、貯湯槽５の上部からの湯と中間出湯管２１からの湯の混合割合を調整するために 、中間温度検出手段３２から得られた温度をもとに中間混合弁２２の開度を制御する。
【００８３】
さらに、給湯混合弁１９の出口（混合）温度が給湯温度設定手段３３で設定された給湯設定温度になるように、中間混合弁２２からの湯と給水管１７からの水の混合割合を調節するために、給湯温度検出手段３１から得られた温度をもとに給湯混合弁１９の開度を制御することによって、所定の給湯温度の湯を蛇口１２から給湯する。
【００８４】
さらに、風呂加熱要求も同時にあるので、利用側循環ポンプ１０を駆動し、切り換え手段４１を中間出湯管２１側に通じるように切り換える。そして、制御手段２６は、風呂熱交換器６の熱源側出口温度と風呂熱交換器６の利用側入口温度との温度差に応じて熱源側循環ポンプ９の回転数を調節することによって、熱源側の温水の流量を制御する。
【００８５】
このとき、利用側循環ポンプ１０によって浴槽８から送られてきた水は、熱源側循環ポンプ９によって送られてきた貯湯槽５上部の高温の湯と、風呂熱交換器６で熱交換して加熱されて浴槽８に戻る。
【００８６】
そして、熱源側循環ポンプ９によって貯湯槽５から送られてきた高温の湯は、前述した利用側循環ポンプ１０によって送られてきた浴槽８の湯と、風呂熱交換器６で熱交換した後、切り換え手段４１を通って、バイパス管４０と中間出湯管２１との接続個所に至る。そして、この接続箇所に至った湯の全部または一部は、中間混合弁２２に送られて貯湯槽５上部からの湯と混合し、さらに、給湯混合弁１９で給水管１７からの水と混合して、所定の給湯温度の湯となって蛇口１２から給湯される。
【００８７】
一方、バイパス管４０と中間出湯管２１との接続個所に至って中間混合弁２２側に流れなかった残りの湯は貯湯槽５に戻る。
【００８８】
このようにすれば、風呂加熱時の貯湯槽５への戻り位置と中間出湯時の貯湯槽５からの取り出し位置とが独立して互いに影響されないので、それぞれ効率の良い中間出湯と風呂加熱ができ、かつ、給湯要求と風呂加熱要求が同時にあった場合、風呂熱交換器６で放熱した貯湯槽５上部からの湯を貯湯槽５に戻さず給湯端末に流して利用するので、快適性と利便性の向上と、かつ、運転効率の向上を図ることができる。
【００８９】
なお、図５に示すように、図２の第２の実施の形態で述べた流量制御弁３８を設け、熱源側循環ポンプ９と流量制御弁３８とで流量制御手段３０を形成すれば、第２の実施の形態で述べたような効果も得られる。
【００９０】
さらに、図３の第３の実施の形態で述べた流入防止手段３９を、中間出湯管２１とバイパス管４０との接続箇所よりも貯湯槽５側の中間出湯管２１の途中に設けても第３の実施の形態で述べたような効果も得られる。
【００９１】
また、図５では、風呂熱交換器戻り管２５と貯湯槽５との接続位置を、中間出湯管２１と貯湯槽５との接続位置よりも下部にしているが、中間出湯管２１と貯湯槽５との接続位置よりも上部か同じ高さにしても同様の作用、効果が得られる。
【００９２】
さらに、図６に示すように、注湯混合弁３５の高温側入口を貯湯槽５の上部でなく、中間混合弁２２の混合（出口）側に接続しても良い。すなわち、浴槽８への差し湯などの要求と風呂の加熱要求とが同時にあった場合、混合弁制御手段３４は、中間混合弁２２の出口（混合）温度がリモコン（図示せず）などで設定した所定の注湯温度よりも所定の温度だけ高い温度になるように、貯湯槽５の上部からの湯と中間出湯管２１からの湯の混合割合を調整するために 、中間温度検出手段３２から得られた温度をもとに中間混合弁２２の開度を制御する。
【００９３】
さらに、注湯混合弁３５の出口（混合）温度が、前記所定の注湯温度になるように、中間混合弁２２からの湯と給水管１７からの水の混合割合を調節するために、注湯温度検出手段３７から得られた温度をもとに注湯混合弁３５の開度を制御することによって、所定の注湯温度の湯を浴槽８に注湯する。
【００９４】
なお、風呂加熱手段２３の動作と作用は、図５の場合と同様なので説明は省略する。このようにすれば、風呂熱交換器６で放熱した貯湯槽５上部からの湯の一部または全部を直接風呂の差し湯などに利用できるため、湯切れの可能性を少なくし、快適性と利便性の向上と、風呂熱交換器６から戻る中温水と貯湯槽５の湯との混合による中温水の生成が少なくなるので運転効率の向上とを図ることができる。
【産業上の利用可能性】
【００９５】
以上のように、本発明にかかるヒートポンプ給湯機は、貯湯槽の高温湯で浴槽などの放熱手段を加熱した後の温度低下した湯を直接給湯に使用する構成としているため、湯切れの防止と運転効率の向上を図ることができるもので、風呂加熱に限らず、貯湯熱を利用した暖房や浴室暖房乾燥機などの用途にも適用できる。
【図面の簡単な説明】
【００９６】
【図１】本発明の第１の実施の形態におけるヒートポンプ給湯機の構成図
【図２】本発明の第２の実施の形態におけるヒートポンプ給湯機の構成図
【図３】本発明の第３の実施の形態におけるヒートポンプ給湯機の構成図
【図４】本発明の第３の実施の形態における他の実施例を示すヒートポンプ給湯機の構成図
【図５】本発明の第４の実施の形態におけるヒートポンプ給湯機の構成図
【図６】本発明の第４の実施の形態における他の実施例を示すヒートポンプ給湯機の構成図
【図７】従来のヒートポンプ給湯機の構成図
【符号の説明】
【００９７】
１  圧縮機
２  給湯熱交換器
５  貯湯槽
６  風呂熱交換器
８  浴槽
１７  給水管
１８  出湯管
１９  給湯混合弁（混合弁）
２１  中間出湯管
２２  中間混合弁（混合弁）
２３  風呂加熱手段
２４  風呂熱交換器往き管
２５  風呂熱交換器戻り管
３０  流量制御手段
３３  給湯温度設定手段
【図１】
2008249169.tif 000003
【図２】
2008249169.tif 000004
【図３】
2008249169.tif 000005
【図４】
2008249169.tif 000006
【図５】
2008249169.tif 000007
【図６】
2008249169.tif 000008
【図７】
2008249169.tif 000009